(57)【特許請求の範囲】
【請求項１】
プロジェクタ装置に取り付けて用いられる、高圧ガスを封入した放電ランプを筐体内に備えるランプハウスにおいて、
前記内部に備える前記放電ランプに対して送風による冷却を行うための吸気口と排気口に、前記筐体の内側のみに開く開閉可能な開閉板を備え、
前記開閉板は、
前記筐体の側面の内側に対し、前記開閉板の上部を蝶番を用いて取り付け、
前記ランプハウスを前記プロジェクタ装置に取り付けていない時には、前記開閉板はその自重により閉じられる構造とし、
前記ランプハウスを前記プロジェクタ装置に取り付けた時には、
前記吸気口に取り付けた前記開閉板は、
前記プロジェクタ装置からの送風を受けることにより内部に開き、
前記排気口に取り付けた前記開閉板は、
前記プロジェクタ装置のダクトが前記排気口から前記筐体内部に差し込まれることにより開く構造としたことを特徴とするランプハウス。
【請求項２】
前記開閉板を閉じるためのバネを備え、
前記バネは、
前記ランプハウスを前記プロジェクタ装置に取り付けていない時には、前記筐体の向きに関わらず前記開閉板を閉じ、
前記吸気口の前記開閉板に取り付けた前記バネは、
前記プロジェクタ装置からの送風を受けることにより前記開閉板を内部に開くことを特徴とする請求項１に記載のランプハウス。
【請求項３】
前記吸気口に取り付けた前記開閉板の開閉状態を検出するセンサーを備えることを特徴とする請求項１又は請求項２に記載のランプハウス。
【請求項４】
前記吸気口に取り付けた前記開閉板を用いて、
前記プロジェクタ装置から受ける送風の、前記ランプハウス内の気流路を設定することを特徴とする請求項１から請求項３のいずれか一つに記載のランプハウス。
【請求項５】
複数の前記吸気口を備えることを特徴とする請求項１から請求項４のいずれか一つに記載のランプハウス。
【請求項６】
高圧ガスを封入した放電ランプを筐体内に備えるランプハウスを取り付けるプロジェクタ装置において、
前記ランプハウスは、
前記内部に備える前記放電ランプに対して送風による冷却を行うための吸気口と排気口に、前記筐体の内側のみに開く開閉可能な開閉板であって、前記筐体の側面の内側に対し、前記開閉板の上部を蝶番を用いて取り付け、前記ランプハウスを前記プロジェクタ装置に取り付けていない時には、自重により閉じられる構造の開閉板を備え、
前記ランプハウスの前記排気口からの排気を外部に排出するダクトを備え、
前記ダクトは、
前記ランプハウスの前記プロジェクタ装置への取り付け時に、前記排気口から前記筐体内部に差し込まれ、前記排気口に備える前記開閉板を前記筐体の内側に開くことを特徴とするプロジェクタ装置。
【請求項７】
前記ダクトは、
前記ランプハウスからの排気を外部に排出する排気排出口を、前記ダクト内の各部の断面積よりも広くし、
前記排気排出口を金網で覆うことを特徴とする請求項６に記載のプロジェクタ装置。
【請求項８】
前記ランプハウスに送風する送風手段を備え、
前記送風手段による送風時の風圧により、前記ランプハウスの前記吸気口に取り付けた前記開閉板を、前記筐体の内側に開くことを特徴とする請求項６又は請求項７に記載のプロジェクタ装置。
【請求項９】
前記ランプハウスの前記放電ランプの発光と前記送風手段による送風を制御する制御手段を備え、
前記制御手段は、
前記ランプハウスの前記吸気口に取り付けた前記開閉板の開閉状態に基づいて、前記放電ランプに対し冷却が行われているかどうかを判定することを特徴とする請求項８に記載のプロジェクタ装置。
【請求項１０】
前記ランプハウスの前記吸気口に取り付けた前記開閉板の開閉状態を検出するセンサーを備えることを特徴とする請求項９に記載のプロジェクタ装置。
【発明の詳細な説明】
【０００１】
【発明の属する技術分野】
本発明は、ランプハウスに関し、特に高圧ガスを封入したランプを発光させるランプハウスとそのプロジェクタ装置に関する。
【０００２】
【従来の技術】
ランプハウスは、水銀やキセノン等の高圧ガスを封入した放電ランプを発光させるため、これを内部に装着する筐体である。この、ランプハウスからの放電ランプの発光の用途は、実験用光源、分析機器用光源、半導体焼付用光源、蛍光顕微鏡用光源、血液分析計用光源、紫外線硬化用光源、映像の投射用光源、また干渉計・屈折計、マイクロフィルム引き伸し装置として用いられている。また、これらの用途の光源として使用するために、ランプハウスは当該用途の投光、投射、投影を行う装置であるプロジェクタ装置に装着して用いられることも多い。
【０００３】
また、光源である放電ランプは、高熱を発し（例えば表面温度が７００℃を超える等）、又高圧のガスが封入されており（例えば常温時約１０気圧、動作時約４０気圧等）、放電ランプが何らかの原因で破裂した場合には極めて危険である。
【０００４】
ランプハウスは、このため光源である放電ランプを筐体内に収めて発光させることにより破裂時の危険を防止し、また放電ランプに外気を送風する等により冷却をし過熱を防止する役割を持つのである。また、放電ランプは、ランプハウスに装着することにより衝撃による破損が防止され、冷却されることにより劣化を抑え明るさと寿命が保たれる。
【０００５】
図１０は、従来のランプハウス１ｄとプロジェクタ装置２ｄの構造を示す斜視図である。
【０００６】
図１０を参照すると、ランプハウス１ｄには、その筐体の内部に光源であるランプバルブ４０を装着し、その周りに光を反射して集光するためのリフレクタ３３を備えることで、窓７０の方向に集光してランプハウス１ｄの外部に光を発光する。窓７０には、紫外線透過率の高い溶解石英（石英ガラス）等を使用する。
【０００７】
また、このランプバルブ４０冷却用の通風孔として、吸気口１０と排気口２０の２箇所の開口部を設けている。
【０００８】
ランプハウス１ｄには、吸気口１０からプロジェクタ装置２ｄのシロッコファン１８から送られる外気をランプバルブ４０に当ててこれを冷却し、このランプハウス１ｄ内部で加熱された空気を排気口２０から外部に排出する。
【０００９】
ランプハウス１ｄの開口部である吸気口１０及び排気口２０には、ランプバルブ４０が破裂した場合に生じる破片が外に飛び出さないようにメタルメッシュ１９、２９（金網）で塞いでいる。このメタルメッシュ１９、２９により、比較的大きな破片については装置の外に飛び出すことを防止することができる。
【００１０】
また、ランプバルブ４０が現在、シロッコファン１８からの送風を受けて冷却中であるかどうかを確認するために、ランプハウス１ｄの内部と外部の圧力差を検出する静圧計５０を取り付けている。
【００１１】
ランプバルブ４０は、高温になると破裂する可能性がより高くなり、劣化がより速く進み明るさや寿命が衰える。このため、冷却中であるかどうかを確認しこの危険を回避するのである。
【００１２】
ランプハウス１ｄ内には、ランプバルブ４０を冷却するために空気が高い圧力で送り込まれるため、冷却中にはランプハウス１ｄの内部と外部で大きな圧力差が生じることになり、この圧力差を静圧計５０で測定することによって冷却の有無が確認できる。
【００１３】
この冷却を確認する静圧計５０は、プロジェクタ装置２ｄの制御回路等に接続されており、この制御回路により送風されていない場合に送風を開始したり、発光を停止させたり（ランプバルブ４０への送電を止める）、利用者に通知する等の処理を実行することでランプバルブ４０の過熱を防止することができる。
【００１４】
また、吸気口１０の内側には、ランプバルブ４０の冷却を適切な個所に対し行うために、シロッコファン１８からの冷却空気が当たる位置を適切に設定するためのガイド金具６０を取り付けている。
【００１５】
ランプバルブ４０は、明るさと寿命を保つために、その口金部４１、４２を冷却し（例えば２００℃以下）、発光する中央部は高温に保つ（例えば７５０℃以下）。このため、ランプハウス１ｄでは、ガイド金具６０を備えることにより、吸気口１０からの送風が当たる位置を口金部４１、４２に合わせて重点的に冷却を行っている。
【００１６】
従来のランプハウスでは、このようにランプバルブ冷却用の開口部が常に開いている状態である。メタルメッシュ１９、２９により開口部が塞がれていても小さな破片はランプハウスの外に飛び出す恐れがある。また、ランプバルブが冷却中かどうかを確認するための静圧計は高価である。
【００１７】
【発明が解決しようとする課題】
上述したように従来のランプハウスでは、以下に述べるような問題点があった。
【００１８】
第１の問題点は、開口部が常に開いているため、ランプバルブが破裂した場合には、その破片が開口部を覆うメタルメッシュの隙間等から外部に飛び出す危険があった。
【００１９】
第２の問題点は、ランプバルブに対し送風され冷却が行われているかどうかを検出するために、高価な静圧計を使用していた。
【００２０】
第３の問題点は、送風の向きを適切な方向に合わせるために、特別にガイド金具の設置を必要としていた。
【００２１】
本発明の第１の目的は、上記従来技術の欠点を解決し、ランプバルブが破裂した場合における危険を適切に防止し、かつランプバルブの冷却効率の良いランプハウスとそのプロジェクタ装置を提供することである。
【００２２】
本発明の第２の目的は、上記従来技術の欠点を解決し、静圧計等の高度な機能を備えることを必要とせずに、冷却中であるかどうかの検出機能を、安価に製作が可能な簡明な構成で実現するランプハウスとそのプロジェクタ装置を提供することである。
【００２３】
本発明の第３の目的は、ランプバルブを冷却する送風の向きの調節部を、効果的に構成するランプハウスとそのプロジェクタ装置を提供することである。
【００２４】
【課題を解決するための手段】
上記目的を達成するため本発明のランプハウスは、プロジェクタ装置に取り付けて用いられる、高圧ガスを封入した放電ランプを筐体内に備えるランプハウスにおいて、前記内部に備える前記放電ランプに対して送風による冷却を行うための吸気口と排気口に、前記筐体の内側のみに開く開閉可能な開閉板を備え、前記開閉板は、前記筐体の側面の内側に対し、前記開閉板の上部を蝶番を用いて取り付け、前記ランプハウスを前記プロジェクタ装置に取り付けていない時には、前記開閉板はその自重により閉じられる構造とし、前記ランプハウスを前記プロジェクタ装置に取り付けた時には、前記吸気口に取り付けた前記開閉板は、前記プロジェクタ装置からの送風を受けることにより内部に開き、前記排気口に取り付けた前記開閉板は、前記プロジェクタ装置のダクトが前記排気口から前記筐体内部に差し込まれることにより開く構造としたことを特徴とする。
【００２５】
請求項２の本発明のランプハウスは、前記開閉板を閉じるためのバネを備え、前記バネは、前記ランプハウスを前記プロジェクタ装置に取り付けていない時には、前記筐体の向きに関わらず前記開閉板を閉じ、前記吸気口の前記開閉板に取り付けた前記バネは、前記プロジェクタ装置からの送風を受けることにより前記開閉板を内部に開くことを特徴とする。
【００２６】
請求項３の本発明のランプハウスは、前記吸気口に取り付けた前記開閉板の開閉状態を検出するセンサーを備えることを特徴とする。
【００２７】
請求項４の本発明のランプハウスは、前記吸気口に取り付けた前記開閉板を用いて、前記プロジェクタ装置から受ける送風の、前記ランプハウス内の気流路を設定することを特徴とする。
【００２８】
請求項５の本発明のランプハウスは、複数の前記吸気口を備えることを特徴とする。
【００２９】
請求項６の本発明のプロジェクタ装置は、高圧ガスを封入した放電ランプを筐体内に備えるランプハウスを取り付けるプロジェクタ装置において、前記ランプハウスは、前記内部に備える前記放電ランプに対して送風による冷却を行うための吸気口と排気口に、前記筐体の内側のみに開く開閉可能な開閉板であって、前記筐体の側面の内側に対し、前記開閉板の上部を蝶番を用いて取り付け、前記ランプハウスを前記プロジェクタ装置に取り付けていない時には、自重により閉じられる構造の開閉板を備え、前記ランプハウスの前記排気口からの排気を外部に排出するダクトを備え、前記ダクトは、前記ランプハウスの前記プロジェクタ装置への取り付け時に、前記排気口から前記筐体内部に差し込まれ、前記排気口に備える前記開閉板を前記筐体の内側に開くことを特徴とする。
【００３０】
請求項７の本発明のプロジェクタ装置は、前記ダクトは、前記ランプハウスからの排気を外部に排出する排気排出口を、前記ダクト内の各部の断面積よりも広くし、前記排気排出口を金網で覆うことを特徴とする。
【００３１】
請求項８の本発明のプロジェクタ装置は、前記ランプハウスに送風する送風手段を備え、前記送風手段による送風時の風圧により、前記ランプハウスの前記吸気口に取り付けた前記開閉板を、前記筐体の内側に開くことを特徴とする。
【００３２】
請求項９の本発明のプロジェクタ装置は、前記ランプハウスの前記放電ランプの発光と前記送風手段による送風を制御する制御手段を備え、前記制御手段は、前記ランプハウスの前記吸気口に取り付けた前記開閉板の開閉状態に基づいて、前記放電ランプに対し冷却が行われているかどうかを判定することを特徴とする。
【００３３】
請求項１０の本発明のプロジェクタ装置は、前記ランプハウスの前記吸気口に取り付けた前記開閉板の開閉状態を検出するセンサーを備えることを特徴とする。
【００３７】
【発明の実施の形態】
以下、本発明の実施の形態について図面を参照して詳細に説明する。
【００３８】
図１は、本発明の第１の実施の形態によるランプハウス１の構造を示す斜視図であり、図２は、本実施の形態によるランプハウス１の内部の構造を示す斜視図であり、図３は、本実施の形態によるランプハウス１のプロジェクタ装置２に設置した際の構造を示す斜視図である。
【００３９】
上記図１、図２、図３の各図面を参照すると、本実施の形態のランプハウス１は、その筐体１００の内部に光源であるランプバルブ４０を装着し、その周りに光を反射して集光するためのリフレクタ３３を備えて、窓７０の方向に集光してランプハウス１の外部に光を発光する。
【００４０】
尚、本実施の形態のランプハウス１では、各図面に示されるようにランプバルブ４０を水平に設置する方式のランプハウス１を例に説明するが、この方式に限定する必要は無く、ランプバルブ４０を垂直に設置する方式に対しても、同様にして以下に説明する本発明を実施することができる。更にまた、上記各図面の例においては、リフレクタ３３の側にランプバルブ４０の陽極口金部４２を、窓７０の側に陰極口金部４１を向けて装着しているが、同様にこれもいずれの向きに装着するものであってもよい。
【００４１】
図１、図３を参照すると、本実施の形態によるランプハウス１は、冷却用開口部として吸気口１０と排気口２０を設けており、この各開口部の内側には、開閉板１１、２１をそれぞれに備えている。
【００４２】
ランプハウス１をプロジェクタ装置２に設置した際に、吸気口１０は、プロジェクタ装置２のシロッコファン１８の吹き出し口が当たる位置に配置されてあり、排気口２０は、プロジェクタ装置２のダクト２８の排出口が当たる位置に配置されている。
【００４３】
これにより、ランプハウス１は、吸気口１０からプロジェクタ装置２のシロッコファン１８から送られる外気を受け、これを特にランプバルブ４０の口金部４１、４２に当てて冷却し、このランプハウス１ｄ内部で加熱された空気を排気口２０から外部に排出するのである。
【００４４】
図４は、本実施の形態による吸気口１０側の開閉板１１の構造を示す斜視図であり、また排気口２０側の開閉版２１の構造も同じである。
【００４５】
図４に示されるように、吸気口１０側の開閉板１１及び排気口２０側の開閉版２１は、ランプハウス１の筐体１００の側面の内側に蝶番１２により取り付ける。開閉板１１、２１は、ランプハウス１の筐体１００の内側のみに開く構造であり、また開閉板１１、２１に対し外部からの力が加わらない場合（つまり、ランプハウス１をプロジェクタ装置２に設置していない時）においては、開閉板１１、２１の自重で閉じた状態である。
【００４６】
このため、ランプハウス１がプロジェクタ装置２から取り外されている時には、ランプハウス１の全ての開口部（吸気口１０と排気口２０）が閉じられており、かつ開口部を閉じる開閉板１１、２１は内側へのみに開く構造のため、もし何らかの原因で内部のランプバルブ４０が破裂した場合においては、開口部が閉じられたままであるため破片がランプハウス１の外部に飛び出すことはない。
【００４７】
ここで、ランプハウス１内のランプバルブ４０は高圧であるが、ランプハウス１は内蔵するランプバルブ４０の破裂に十分対応可能な強度を備えるものであり、ランプバルブ４０の破裂に伴いランプハウス１が変形、破裂することなく、利用者に危険を与えないものとする。これは、ランプバルブ４０のは体積はランプハウス１全体の体積に比べて極めて小さいため、ランプバルブ４０の破裂に伴いランプハウス１内が危険な高圧にまではならず、又ランプハウス１を外部に破片が飛び出すことが無いように閉じるためには必ずしも完全な密閉とすることを必要とせず、破裂したランプバルブ４０のガスがランプハウス１内から（安全に）抜けるように隙間や孔を備えることもできるからである。
【００４８】
また、この吸気口１０と排気口２０を閉じる各開閉板１１、２１は、ランプバルブ４０を発光させる動作時においては、以下に説明するようにそれぞれランプハウス１の内側に開き送風し冷却を行う。
【００４９】
吸気口１０側の開閉板１１は、ランプバルブ４０の発光時には、プロジェクタ装置２のシロッコファン１８から送風される外気の風圧を受けて、自動的にランプハウス１の内側に開く。これにより、シロッコファン１８からの送風は、吸気口１０からランプハウス１内に入りランプバルブ４０を冷却することができる。
【００５０】
排気口２０側の開閉板２１は、ランプハウス１をプロジェクタ装置２に設置する際に、この各装置の構造により、プロジェクタ装置２のダクト２８が排気口２０内に外部から挿入され、このダクト２８が開閉板２１を上に押し上げることにより排気口２０が開く。これにより、冷却をすることによりランプバルブ４０の熱を受けて加熱された空気を、排気口２０からランプハウス１の外に排出することができる。
【００５１】
また、ランプバルブ４０が現在、シロッコファン１８からの送風を受けて冷却中であるかどうかを確認するために、ランプハウス１の内部と外部の圧力差を検出する静圧計５０を取り付けている。ランプハウス１の内部と静圧計５０とは、チューブ５１を介して接続している。
【００５２】
静圧計５０は、ランプバルブ４０の冷却により生じる、ランプハウス１の内部と外部での圧力差を測定することにより、冷却の有無を確認する。
【００５３】
この冷却を確認する静圧計５０は、プロジェクタ装置２の制御回路等に接続されており、この制御回路により送風されていない場合に送風を開始したり、発光を停止させたり（ランプバルブ４０への送電を止める）、利用者に通知する等の処理を実行することでランプバルブ４０の過熱を防止することができる。
【００５４】
ダクト２８は、ランプバルブ４０が破裂した際に生じる破片がプロジェクタ装置２の外に飛び出すのを防止するために、メタルメッシュ２９ａ（金網）で排気側を塞いでいる。
【００５５】
ダクト２８は、プロジェクタ装置２の出口で（ダクト２８の排気側で）開口部を広く取っており、この排気側にメタルメッシュ２９ａを取り付けている。メタルメッシュ２９ａを、面積の狭いランプハウス１側でなく、面積を広く取った排気側に取り付けたことにより、ダクト２０内の通気可能な部分の面積をより広く取ることができ冷却効率が向上する。
【００５６】
本実施の形態の図１、図２、図３に示した実施例においては、吸気口１０と排気口２０の双方を狭い面積としているが、広い面積としても同様に吸気口１０と排気口２０の各開口部に本実施の形態の開閉版１１、２１を設置することで上述の効果を得ることができる。しかし、各開口部の面積を狭くすることで、各開口部前における、送風装置（シロッコファン１８）の出力の量あたりの風速を速くすることができ、ランプバルブ４０の特に強く冷却をしたい部分である口金部４１、４２の前に各開口部を備えることで効率的に冷却をすることができる。
【００５７】
また、ランプハウス１の内部には、ガイド金具６０が備えられ、吸気口１０から吸入するシロッコファン１８からの送風をこのガイド金具６０に当てることにより、送風の向きをランプバルブ４０の口金部に向けて、局所的に重点的に冷却を行う。
【００５８】
図１、図２、図３に示されたガイド金具６０では、シロッコファン１８からの送風は、このガイド金具６０が示す方向に曲がり陽極口金部４２を冷却するものと、曲がらずに直進して陰極口金部４１を冷却するものとに分かれ、両口金部の冷却を行うことができる。
【００５９】
次に、本発明の第２の実施の形態について図面を参照して詳細に説明する。
【００６０】
プロジェクタ装置２は設置状態として天井に逆さにして取り付けることがあり、ランプハウス１についても単体で横にしたり逆さにしたりすることも考えられるが、しかし第１の実施の形態のランプハウス１では開閉板１１、２１は自重のみにより閉じられているため、このような場合には開いてしまい、ランプバルブ４０の破裂に伴い破片がランプハウスの外に飛び出す危険がある。本実施の形態では、開閉板１１ａ、２１ａをバネ１４で押さえることにより、こうした場合にも開閉板１１ａ、２１ａを開かないようにし、プロジェクタ装置２への取り付け作業時等における安全性を実現する。かつ、ランプバルブ４０の発光時には、第１の実施の形態の場合と同様に容易に各開閉板１１ａ、２１ａを開いてランプバルブ４０の冷却を行う。
【００６１】
図５は、本発明の第２の実施の形態によるランプハウス１ａの開閉板１１ａの構成を示す斜視図である。
【００６２】
図５を参照すると、本実施の形態のランプハウス１ａの、第１の実施の形態との違いは、吸気口１０と排気口２０の各開口部に備える開閉板１１ａ、２１ａにおいて、バネ１４を備えて開かないように開閉板１１ａ、２１ａを閉じることである。
【００６３】
バネ１４は、開閉板１１ａ、２１ａの自重で開かない程度の強さを備え、かつシロッコファン１８の風圧によっては容易に開くものとする。開閉板１１ａ、２１ａは面積が小さくその自重は軽く、又一方でシロッコファン１８は強い風圧を備えるため、バネ１４の強さを適切に設定することにより上述の開閉動作を実現することができる。
【００６４】
以上、説明した本実施の形態により、第１の実施の形態の効果に加えて、ランプハウス１の開口部に有する開閉板１１ａ、２１ａをバネ１４で押さえるため、ランプハウス１ａのプロジェクタ装置２への取り付けの容易さをそのまま備えながら、プロジェクタ装置２に取り付けていない場合には設置方向や設置状況に関わらず開閉板１１ａ、２１ａを閉じたままにでき安全性を実現する。
【００６５】
次に、本発明の第３の実施の形態について図面を参照して詳細に説明する。
【００６６】
本実施の形態では、ランプバルブ４０が冷却中であるかどうかの判定を、静圧計５０を必要とせずに、吸気口１０に備える開閉板１１ｂの開閉状態の検出により行うのである。
【００６７】
図６は、本実施の形態による開閉板１１ｂの閉じた状態を示す斜視図であり、図７は、本実施の形態による開閉板１１ｂの開いた状態を示す斜視図である。
【００６８】
図６と図７の各図面を参照すると、本実施の形態のランプハウス１ｂの、第２の実施の形態との違いは、吸気口１０に備える開閉板１１ｂが開いているか閉じているかを判断するためのスイッチを備えることであり、上記各図面の例においては第１スイッチ１５と第２スイッチ１６の２つのスイッチを備えている。
【００６９】
これら各スイッチ１５、１６は、第１、第２の実施の形態の静圧計５０と同様にプロジェクタ装置２ｂの制御回路に接続され、制御回路に対しランプバルブ４０が冷却中であるかどうかを知らせるのである。
【００７０】
開閉板１１ｂは、各図面に示されるように蝶番１２を挟んでＬ字型をしており、開閉板１１ｂが少し開いた状態で第１スイッチ１５が“ＯＦＦ”となり、より更に開いた状態で第２スイッチ１６が“ＯＮ”する。
【００７１】
図６では、開閉板１１ｂはシロッコファン１８からの送風を受けておらず閉じられており、吸気口１０の開口部の位置に備えられた第１スイッチ１５が“ＯＮ”であり、蝶番１２の吸気口１０の反対側に備える第２スイッチ１６が“ＯＦＦ”である。この場合には、制御回路はランプバルブ４０は冷却中ではないものと判定し、第１の実施の形態において説明したように係る場合の所定の動作を実行する。
【００７２】
図７では、開閉板１１ｂはシロッコファン１８からの送風を受け、その風圧により開いている。この場合では、第１スイッチ１５が“ＯＦＦ”であり、第２スイッチ１６が“ＯＮ”である。これにより、制御回路は、ランプバルブ４０は冷却中であると判定し、またこのためランプバルブ４０の発光を続けても安全であり、制御回路は現在の状態を変更させる必要はない。
【００７３】
ここで、送風の有無を判定するためには、必ずしも第１スイッチ１５と第２スイッチ１６の双方を備える必要は無く、特に必要とするので無ければ一方のスイッチを備えるのみでもよい。
【００７４】
このスイッチを備えるのは、ランプハウス１ｂの側に限定されず、プロジェクタ装置２ｂの側に備えるものとしても同様に実施できる。
【００７５】
またスイッチは、開閉板１１ｂの開閉が検出できるものであればよく、蝶番１２の開く角度を検出するスイッチを用いること等も同様に実施できる。
【００７６】
以上説明したように、本実施の形態では、ランプバルブ４０が冷却中であるかどうかの判断に高価な静圧計を用いる必要がなく、吸気口１０の開閉板１１ｂが開いている状態を検知することにより、容易に判定することができるという効果を有する。
【００７７】
次に、本発明の第４の実施の形態について図面を参照して詳細に説明する。
【００７８】
本実施の形態では、第１の実施の形態のガイド金具６０の替わりに、開閉板１１ｂが開いた時の角度を用いて、吸気口１０からランプハウス１ｃ内に送風される外気の方向を、重点的に冷却を行う対象であるランプバルブ４０の口金部に向ける。
【００７９】
図８は、本発明の第４の実施の形態による開閉板１１ｃの開いた状態を示す斜視図である。
【００８０】
図８を参照すると、本実施の形態は、吸気口１０に有する開閉板１１ｃは蝶番１２を挟んでＬ字型とすることにより、開いた状態において開閉板１１ｃが一定の角度を成して開くように設計している。
【００８１】
図９は、本発明の第４の実施の形態によるランプハウス１ｃをプロジェクタ装置２に設置した際の構成を示す斜視図である。
【００８２】
開閉板１１ｃはＬ字に曲がっており、図９に示すとおり、シロッコファン１８の風圧によって開いた状態において成す角度を予め設定することができる。これにより、上述の各実施の形態におけるガイド金具６０の替わりに、開閉板１１ｃは冷却空気をランプバルブ４０の口金部へ導くガイドの役目を果たす。
【００８３】
以上説明したように、本実施の形態では、吸気口１０に有する開閉板１１ｃによって、ランプバルブ４０の口金部に冷却空気を当てるガイドの役目を果たすことができ、従来では内部に設置していたガイド金具を備える必要がないという効果を有する。
【００８４】
以上説明した各実施の形態においては、１つのみの吸気口１０を備える形態を例に説明してきたが、本発明の吸気口１０及び排気口２０はランプハウス内に複数備える形態においても、ランプバルブ４０の破裂の危険を防止し、また冷却中であるかどうかを検出し、ランプハウス内への送風を適切な方向に向けて口金部を４１、４２を冷却する上記各実施の形態の効果を同様に実現することができる。例えば、特に吸気口１０を陰極口金４１と陽極口金４２の双方の近くに備える方式によっても、双方の口金部に対する局所的な冷却が実現できる。
【００８５】
以上説明した各実施の形態においては、ランプバルブ４０を水平に設置する形態のランプハウスを例に説明したが、本発明の特徴である吸気口１０や排気口２０の構造とランプバルブ４０の冷却方式は、ランプバルブ４０を垂直に設置する形態のランプハウスに対しても同様にして実施することができる。
【００８６】
これと同様に、以上説明した各実施の形態においては、ランプバルブ４０の陽極口金４２をリフレクタ３３側に、陰極口金４１を窓７０側に設置したが、この向きにのみに限定する必要は無い。陽極口金４２及び陰極口金４１を設置する方向や、またリフレクタ３３の形状や向きに関わらずに、本発明の特徴である吸気口１０や排気口２０の構造とランプバルブ４０の冷却方式を同様に実施することができる。
【００８７】
以上好ましい実施の形態及び実施例をあげて本発明を説明したが、本発明は必ずしも上記実施の形態及び実施例に限定されるものではなく、その技術的思想の範囲内において様々に変形して実施することができる。
【００８８】
【発明の効果】
以上説明したように本発明のランプハウスとそのプロジェクタ装置によれば、以下のような効果が達成される。
【００８９】
第１に、ランプバルブが破裂した時に、その破片がランプハウスの外に飛び出すことを、全て微小な破片を含めて防止でき高い安全性を実現する。その理由は、ランプハウスの開口部に本発明の開閉板を備えることにより、ランプハウスをプロジェクタ装置に取り付けていない時には開口部を閉じているからである。
【００９０】
第２に、本発明の開閉板を備えることにより、従来、ランプバルブが破裂した時に生じる破片を外に出さないように備えていたメタルメッシュが不要となり、開口率が上がり冷却効率が良くなる。
【００９１】
また、冷却時において破片を外に出さないように防止するメタルメッシュを、ランプハウスの外（プロジェクタ装置側）に設置できるので、この外側において広い面積をもって取り付けることにより、有効な開口面積を広く確保できる。
【００９２】
第３に、従来、ランプバルブを冷却しているかどうかを判断するために用いていた、内部と外部の圧力差を測定する高価な静圧計が不要となる。その理由は、本発明の開閉板の開閉状態を検出することにより、ランプバルブを冷却しているかどうかの検出が簡単にできるからである。
【００９３】
第４に、開閉板を閉じるバネを備えることにより、ランプハウスをプロジェクタ装置に取り付けていない時において、ランプバルブの向きに関わらずに常に開閉板を閉じたままにでき、破裂時の破片が外に飛び出す危険をより少なくし、高い安全性を実現できる。その理由は、ランプハウス開口部に有する開閉板を開くにはある程度の負荷を有するため、開閉板が設置状態等によって安易に開くことはないからである。
【００９４】
第５に、従来、ランプバルブを局部的に冷却するために備えていたガイド板が不要となる。その理由は、吸気口に備える開閉板が冷却時に開いた状態の向きで冷却用空気の流れや向きを制御できるからである。
【図面の簡単な説明】
【図１】  本発明の第１の実施の形態によるランプハウスの構造を示す斜視図である。
【図２】  本発明の第１の実施の形態によるランプハウスの構造を示す斜視図である。
【図３】  本発明の第１の実施の形態によるランプハウスのプロジェクタ装置に設置した際の構造を示す斜視図である。
【図４】  本発明の第１の実施の形態による開閉板の構造を示す斜視図である。
【図５】  本発明の第２の実施の形態による開閉板の構造を示す斜視図である。
【図６】  本発明の第３の実施の形態による開閉板の閉じた状態を示す斜視図である。
【図７】  本発明の第３の実施の形態による開閉板の開いた状態を示す斜視図である。
【図８】  本発明の第４の実施の形態による開閉板の開いた状態を示す斜視図である。
【図９】  本発明の第４の実施の形態によるランプハウスをプロジェクタ装置に設置した際の構造を示す斜視図である。
【図１０】  従来のランプハウスをプロジェクタ装置に設置した際の構造を示す斜視図である。
【符号の説明】
１、１ａ、１ｂ、１ｃ、１ｄ  ランプハウス
１００  筐体
１０  吸気口
１１、１１ａ、１１ｂ、１１ｃ  開閉板（吸気側）
１２  蝶番
１３  固定用リベット
１４  バネ
１５  スイッチＡ
１６  スイッチＢ
１８  シロッコファン
１９  メタルメッシュ（吸気側）
２０  排気口
２１、２１ａ  開閉板（排気側）
２８  ダクト
２９  メタルメッシュ（排気側）
２９ａ  メタルメッシュ（ダクト内）
３１  陰極口金支持金具
３２  陽極口金支持金具
３３  リフレクタ
４０  ランプバルブ
４１  陰極口金
４２  陽極口金
５０  静圧計
５１  チューブ
６０  ガイド金具
７０  窓
２  プロジェクタ装置
【図１】
0003667588.tif 000002
【図２】
0003667588.tif 000003
【図３】
0003667588.tif 000004
【図４】
0003667588.tif 000005
【図５】
0003667588.tif 000006
【図６】
0003667588.tif 000007
【図７】
0003667588.tif 000008
【図８】
0003667588.tif 000009
【図９】
0003667588.tif 000010
【図１０】
0003667588.tif 000011